(57)【特許請求の範囲】
【請求項１】
逆止弁が取付けされたバイパス管がポンプに対し並列に取付け接続されているとともに、需要側への送水管に対しては放流管が連通接続せしめられた上、上記ポンプにより水道本管から吸込み管を介し水が吸込まれた上、加圧された状態として上記送水管に吐出されるべく構成されてなる加圧給水装置であって、需要側での水使用がないことを要因として、上記ポンプが運転停止状態におかれている間、ポンプと該ポンプ近傍に長期に亘って滞留している水が外部に排出されるべく、上記運転停止状態が所定時間経過する度に、上記放流管に取付されている自動弁が一定時間の間だけ、開放状態におかれた上、吐出し圧力の始動圧力以下への低下に伴いポンプが一時的に始動状態におかれるべく制御する制御手段が設けられてなる構成の加圧給水装置。
【請求項２】
上記所定時間、一定時間各々が外部から随時任意に設定されるための手段が具備されている請求項１記載の加圧給水装置。
【請求項３】
ポンプに対し、逆止弁が取付けされたバイパス管が並列に取付け接続されている状態で、吸込み側圧力高を要因として上記ポンプが運転停止された上、水道本管からの水が吸込み管、上記バイパス管、送水管を介し需要側に給水されるに際しては、上記ポンプと該ポンプ近傍に長期に亘って滞留している水が需要側に給水されるべく、上記ポンプの運転停止状態が所定時間経過する度に、吸込み側圧力高に対応する初期設定値は最大吸込み側圧力検出値よりも大として再設定されるとともに、吐出し圧力一定制御下での初期設定ポンプ始動圧力、または末端圧力一定制御下での初期設定下限・上限吐出し目標圧力は、上記最大吸込み側圧力検出値に最大水量時での吐出し側圧力センサ、吸込み側圧力センサ間抵抗を加えたものよりも大として再設定されることによって、吸込み側圧力高を要因とする上記ポンプの運転停止が解除された上、ポンプが一時的に始動・運転状態におかれることで滞留水が需要側に給水された後、上記再設定に係る値各々は初期設定されるようにした加圧給水装置運転方法。
【請求項４】
ポンプに対し、逆止弁が取付けされたバイパス管が並列に取付け接続されている状態で、吸込み側圧力高を要因として上記ポンプが運転停止された上、水道本管からの水が吸込み管、上記バイパス管、送水管を介し需要側に給水可とされているにも拘らず、圧力タンクの下流側に位置している、送水管途中に設けられている流量センサにて需要側で水が使用されていない状態が連続的に検出されている場合には、上記ポンプと該ポンプ近傍に長期に亘って滞留している水が外部に排出されるべく、上記状態が所定時間経過する度に、上記送水管に連通接続されている放流管に取付されている自動弁が一定時間の間だけ、開放状態におかれた上、ポンプが一時的に運転状態におかれるようにした加圧給水装置運転方法。
【発明の詳細な説明】
【０００１】
【発明の属する技術分野】
本発明は、ポンプにより水道本管から吸込み管を介し水が吸込まれた上、加圧された状態として需要側への送水管に吐出されるべく構成されてなる加圧給水装置とその運転方法に係わり、特にポンプとそのポンプ近傍に長期に亘って水が滞留されないようにした加圧給水装置とその運転方法に関するものである。
【０００２】
【従来の技術】
これまでに、水道本管内水圧が有効に利用されるべく、ポンプにより水道本管から吸込み管を介し水が直接吸込まれた上、加圧された状態として需要側への送水管に吐出されるべく構成されてなる加圧給水装置が既に実用化されているが、これまでの加圧給水装置にあっては、往々にしてポンプとそのポンプ近傍には水が長期に亘って滞留する虞があるものとなっている。
【０００３】
即ち、逆止弁が取付けされたバイパス管がポンプに対し並列に取付け接続されている状態で、水道本管内水圧としての吸込み（流入）側圧力が需要側に給水を直接行う上で必要十分に高い場合には、ポンプは運転停止状態におかれた上、水道本管からの水は吸込み管からバイパス管を介し、送水管側に給水され得るものである。しかしながら、このようにして、ポンプによる給水が長期に亘って行われないとすれば、ポンプとそのポンプ近傍には水が長期に亘って汚染水として滞留するところとなり、その後に、吸込み側圧力の低下によりポンプの運転が再開される際には、汚染水が需要側に給水されてしまうというものである。
【０００４】
バイパス管による給水の場合だけではなく、そのような事情は、需要側で水が長期に亘って使用されなく、その間、ポンプが運転停止状態におかれる場合にも同様とされているものである。因みに、ポンプが更に長期間に亘って運転状態におかれない場合には、ポンプにおける固定部分と可動部分との間にサビが強固に不着されることによって、ポンプの運転に際して、ポンプは回転駆動され得ないものとなっている。
【０００５】
なお、滞留水の防止に関する技術としては、これまでに、例えば特開平８ー６１２４６号公報が挙げられるが、これによる場合、交互運転により水の滞留が防止されるようになっている。
【０００６】
【発明が解決しようとする課題】
以上のように、これまでの水道本管直結型加圧給水装置においては、水道本管内水圧が需要側に給水を直接行う上で必要十分に高い場合には、ポンプは運転停止状態におかれた上、水道本管からの水は吸込み管からバイパス管を介し、送水管側に給水されているが、その半面、ポンプとそのポンプ近傍に水が長期に亘って汚染水として滞留し易いものとなっており、ポンプの運転再開の際には、汚染水が需要側に給水されてしまう虞があったものである。このような不具合は、需要側で水が長期に亘って使用されない場合にも、同様に見受けられていたものである。
【０００７】
本発明の第１の目的は、需要側で水が長期に亘って使用されなく、その間、ポンプが運転停止状態におかれる場合でも、ポンプとそのポンプ近傍に水が長期に亘って汚染水として滞留され得ない加圧給水装置を供するにある。
【０００８】
本発明の第２の目的は、吸込み側圧力高を要因としてポンプが長期に亘って運転停止された上、そのポンプをバイパスした状態で需要側に給水が行われる場合でも、ポンプとそのポンプ近傍に水が長期に亘って汚染水として滞留され得ない加圧給水装置運転方法を供するにある。
【０００９】
本発明の第３の目的は、需要側で水が長期に亘って使用されていないことが確実に検出された上、その間、ポンプが運転停止状態におかれる場合でも、ポンプとそのポンプ近傍に水が長期に亘って汚染水として滞留され得ない加圧給水装置運転方法を供するにある。
【００１０】
本発明の第４の目的は、吸込み側圧力高を要因としてポンプが運転停止された上、水道本管からの水がバイパス管を介し需要側に給水可とされているにも拘らず、需要側で水が長期に亘って使用されていない場合に、ポンプとそのポンプ近傍に水が長期に亘って汚染水として滞留され得ない加圧給水装置運転方法を供するにある。
【００１１】
【課題を解決するための手段】
上記第１の目的は、需要側への送水管に対して放流管が連通接続せしめられた状態で、需要側での水使用がないことを要因として、ポンプが運転停止状態におかれている間、ポンプと該ポンプ近傍に長期に亘って滞留している水が外部に排出されるべく、上記運転停止状態が所定時間経過する度に、上記放流管に取付されている自動弁が一定時間の間だけ、開放状態におかれた上、吐出し圧力の始動圧力以下への低下に伴いポンプが一時的に始動状態におかれるべく制御する制御手段が具備せしめられることで達成される。
【００１２】
上記第２の目的は、ポンプに対し、逆止弁が取付けされたバイパス管が並列に取付け接続されている状態で、吸込み側圧力高を要因として上記ポンプが運転停止された上、水道本管からの水が吸込み管、上記バイパス管、送水管を介し需要側に給水されるに際しては、上記ポンプと該ポンプ近傍に長期に亘って滞留している水が需要側に給水されるべく、上記ポンプの運転停止状態が所定時間経過する度に、吸込み側圧力高に対応する初期設定値は最大吸込み側圧力検出値よりも大として再設定されるとともに、吐出し圧力一定制御下での初期設定ポンプ始動圧力、または末端圧力一定制御下での初期設定下限・上限吐出し目標圧力は、上記最大吸込み側圧力検出値に最大水量時での吐出し側圧力センサ、吸込み側圧力センサ間抵抗を加えたものよりも大として再設定されることによって、吸込み側圧力高を要因とする上記ポンプの運転停止が解除された上、ポンプが一時的に始動・運転状態におかれることで滞留水が需要側に給水された後、上記再設定に係る値各々は初期設定されることで達成される。
【００１３】
上記第３の目的は、ポンプにより水道本管から吸込み管を介し水が吸込まれた上、加圧された状態として需要側への送水管に吐出されている際に、圧力タンクの下流側に位置している、送水管途中に設けられている流量センサにて需要側で水が使用されていない状態が連続的に検出されている場合には、上記ポンプと該ポンプ近傍に長期に亘って滞留している水が外部に排出されるべく、上記状態が所定時間経過する度に、上記送水管に連通接続されている放流管に取付されている自動弁が一定時間の間だけ、開放状態におかれた上、ポンプが一時的に運転状態におかれることで達成される。
【００１４】
上記第４の目的は、ポンプに対し、逆止弁が取付けされたバイパス管が並列に取付け接続されている状態で、吸込み側圧力高を要因として上記ポンプが運転停止された上、水道本管からの水が吸込み管、上記バイパス管、送水管を介し需要側に給水可とされているにも拘らず、圧力タンクの下流側に位置している、送水管途中に設けられている流量センサにて需要側で水が使用されていない状態が連続的に検出されている場合には、上記ポンプと該ポンプ近傍に長期に亘って滞留している水が外部に排出されるべく、上記状態が所定時間経過する度に、上記送水管に連通接続されている放流管に取付されている自動弁が一定時間の間だけ、開放状態におかれた上、ポンプが一時的に運転状態におかれることで達成される。
【００１５】
【発明の実施の形態】
以下、本発明の実施形態を図１から図７を用いて説明する。
先ず本発明の具体的説明に入る前に、これまでの水道本管直結型加圧給水装置での基本構成とその動作について、簡単乍ら説明すれば以下のようである。
【００１６】
即ち、図１には本発明による加圧給水装置の一例での構成が示されているが、これを流用しつつ、説明すれば、図７に示すように、吸込み（流入）側圧力が需要側に給水を直接行う上で必要最小限の圧力ｂ以上にある間、ポンプ４による揚水は不要とされ、したがって、ポンプ４は運転停止状態におかれた上、水道本管（図示せず）からの水は吸込み管１、逆止弁３、バイパス管２、逆止弁８、送水管１０を介し需要端１１に給水されるものとなっている。吸込み側圧力が圧力ａ（＜ｂ）以下ではまた、水道本管内の水圧の更なる異常低下が防止されるべく、ポンプ４は運転不可とされているものである。結局、吸込み側圧力が圧力ｂ，ａ間にある間のみ、ポンプ４は運転可能とされているものである。図６にはまた、吐出し流量（給水量）Ｑ、吐出し側圧力Ｈ、ポンプ回転速度Ｎの、これら３者の関係が示されているが、通常、圧力ｂはｂ＝Ｈ01として設定されるものとなっている。
【００１７】
さて、ポンプ４は電動機５により回転駆動されているが、その回転速度はインバータＩＮＶからの交流電力のその周波数によるものとなっている。結局、ポンプ４はインバータＩＮＶによりその運転が制御されているものである。そのインバータＩＮＶの周囲には、運転状態を表示したり、各種運転のためのパラメータ設定用キースイッチが具備されているディジタルオペレータＯＰが配置されている他、漏電からの保護用として漏電ブレーカＥＬＢが配置されたものとなっている。更に、吸込み側圧力は圧力センサＰＳ―１により検出された上、信号Ｓ1 として、また、吐出し側圧力は圧力センサＰＳ―２により検出された上、信号Ｓ3 としてそれぞれインバータＩＮＶに与えられており、ポンプ吐出し側に設けられているフロースイッチ（流量センサと同一機能を有しており、主にポンプ運転制御用として設けられている）Ｆlow ・ＳＷではまた、需要側で水が使用されているか否かが検出された上、信号Ｓ2 としてインバータＩＮＶに与えられており、需要側で水が使用されていないか、使用量が少ない場合、フロースイッチＦlow ・ＳＷはＯＮ状態におかれるものとなっている。
【００１８】
需要側で水が実際に使用されれば、吐出し側圧力が徐々に低下し、やがて、吐出し側圧力が始動圧力ＨON以下に低下したことが圧力センサＰＳ―２で検出されれば、ポンプ４は初めて始動された上、水道本管からの水は吸込み管１、逆止弁３、仕切弁６―１、ポンプ４、フロースイッチＦlow ・ＳＷ、逆止弁７、仕切弁６―２、送水管１０を介し需要端１１に給水されているものである。水の使用量が少ないことがフロースイッチＦlow ・ＳＷで検出された場合や、水道本管側での工事断水等により吸込み側圧力が圧力ａ以下か、圧力ｂ以上となったことが圧力センサＰＳ―１で検出された場合には、ポンプ４は運転停止状態におかれているものである。
【００１９】
なお、図１中、符号ＰW ，９，１４はそれぞれ交流電源（一般に３相交流電源）、圧力タンク（上部に空気溜まりを有する）、水栓（蛇口）を示す。因みに、一点鎖線表示されているブロックＸ，Ｙ各々は本発明に係る部分とされ、後に説明するところである。
【００２０】
さて、本発明について具体的に説明すれば、既述のように、図１には本発明による加圧給水装置の一例での構成が示されているが、これまでのものと実質的に異なるところは、ブロックＸ，Ｙ各々が新たに設けられていることと、インバータＩＮＶには、滞留水を外部に排出するための、本発明に係る制御手段がマイコンソフトウェアとして設けられている点である。水道本管内水圧が需要側に給水を直接行う上で必要十分に高い場合は、ポンプの一時的な始動・運転状態により滞留水が需要側に給水される一方、需要側での水使用がないことを要因として、ポンプが運転停止状態におかれる場合には、ポンプ４とそのポンプ４近傍に長期に亘って滞留している水はブロックＸを介し外部に排出されているものである。図１に示すように、送水管１０に対しては、他端側に自動弁１２が取付けされた放流管１３が連通接続せしめられているが、需要側での水使用がないことを要因とする運転停止状態が所定時間経過する度に、自動弁１２が一定時間の間だけ、開放状態におかれた上、吐出し圧力の始動圧力以下への低下に伴いポンプ４が一時的に始動状態におかれるべく制御されることで、滞留水は大気中に放出されているものである。
【００２１】
ここで、図２により本発明に係る制御手段としてのマイコンソフトウェアについて説明すれば以下のようである。
先ず通常状態で需要側での水の使用がなく、したがって、ポンプ４とそのポンプ４近傍に水が長期に亘って滞留する場合について説明すれば、先ずステップ４００では、吐出し側圧力（給水圧力）が始動圧力ＨON以下にあるかが判定される。この判定では、水の使用がなければ、吐出し側圧力は当然、始動圧力ＨONよりも大きい状態にあることから、ＮＯと判定された上、処理はステップ４１７に進められるものとなっている。ステップ４１７では、吸込み側圧力（流入圧力）が圧力ｂ以上であるかが判定されるが（圧力ｂ以上では、ポンプ４は運転停止状態にある）、この判定ではＮＯと判定された上、処理はステップ４１８に進められるものとなっている。ステップ４１８では、吸込み側圧力が圧力ａ以下であるかが判定されるが（圧力ａ以下では、ポンプ４は運転停止状態にある）、この判定でもＮＯと判定された上、処理はステップ４１９に進められるものとなっている。結局、以上の処理により、吸込み側圧力が圧力ｂ以上である場合でのポンプ運転停止や、圧力ａ以下である場合でのポンプ運転停止が排除された上、ステップ４１９では、需要側での水使用がないことを要因とする、ポンプ運転停止に係る処理が初めて行われているものである。
【００２２】
水使用がないことを要因として、ポンプ４が運転停止状態におかれている時間は別途ソフトウェアタイマにより計測されているが、ステップ４１９では、その時間がポンプ運転停止時点から所定時間Ｔ１以上経過しているかが判定されているものである。所定時間Ｔ１以上、経過していなければ、処理はステップ４００に戻されるが、所定時間Ｔ１以上、経過している場合には、ステップ４２０，４２１での処理により、自動弁１２は開放状態におかれた上、処理はステップ４００に戻されるものとなっている。自動弁１２が開放状態におかれることで、滞留水は放流管１３を介し大気中に放出され、この滞留水の放出に伴い、やがて、吐出し側圧力は始動圧力ＨON以下にまで低下するところとなるが、この始動圧力ＨON以下への低下を以てポンプ４が初めて始動されているものである（ステップ４００〜４０５）。ポンプ４が始動された後は、ステップ４０６，４０７で自動弁１２の開放状態が一定時間経過後にその閉処理が行われ、その後のステップ４０８では何等の処理の行われることなく、ステップ４０９では、目標値Ｆ（図６を参照のこと）による末端圧力一定制御が実行されているものである。ポンプ４が始動運転された後、ステップ４１０では、フロースイッチＦlow ・ＳＷがＯＦＦ状態（水使用状態）にあるかが判定されるが、水使用状態にないと判定された場合には、ステップ４１１によりその状態が一定時間Ｔ２経過するのを待って、ステップ４１２でポンプ４が運転停止された上、処理はステップ４００に戻されているものである。
【００２３】
以上のように、通常状態で需要側で長期に亘って水が使用がされていない場合には、ポンプ４とそのポンプ４近傍での滞留水は所定時間Ｔ１毎に外部に排出され得るものである。なお、上記時間Ｔ１，Ｔ２各々はディジタルオペレータＯＰから適正な値（例えば、時間Ｔ１については４時間程度に設定）として初期設定されているが、その後、それら値は必要に応じて随時、ディジタルオペレータＯＰから更新設定可とされたものとなっている。
【００２４】
次に、吸込み側圧力（水道本管内圧力）高を要因としてポンプ４が長期に亘って運転停止される場合について説明すれば、既述の圧力ｂは、ポンプ４による揚水を不要として、吸込み側圧力を利用して直接バイパス管２を介し需要側に給水を行うことを目的としていることから、通常、そのような給水が行われる上での必要最小限の圧力、即ち、ｂ＝Ｈ01としてディジタルオペレータＯＰから初期設定されるものとなっている。しかしながら、ポンプ４の設置場所如何によっては、吸込み側圧力が常時、Ｈ01を上回る場合があり、したがって、このような場合には、ポンプ６が長期に亘って運転され得ないというものである。
【００２５】
より具体的に説明すれば、ステップ４１７で吸込み側圧力が圧力ｂ以上であると判定された上、ステップ４２２でポンプ４の運転停止時間が所定時間Ｔ５以上であると判定された場合には、ステップ４２３では、吸込み側圧力高に対応する初期設定値（＝ｂ）等は所定に更新設定されるものとなっている。即ち、その初期設定値は最大吸込み側圧力検出値よりも大の、（最大吸込み側圧力検出値＋α）として再設定されるとともに、吐出し圧力一定制御下での初期設定ポンプ始動圧力ＨON、または末端圧力一定制御下での初期設定下限吐出し目標圧力ＨO0・上限吐出し目標圧力Ｈ01（図６を参照のこと）は、上記最大吸込み側圧力検出値に最大水量時での吐出し側圧力センサＰＳ―２、吸込み側圧力センサＰＳ―１間抵抗を加えたものよりも大として再設定されているものである。その後はステップ４００に戻り、吐出し側圧力が始動圧力ＨON以下にあるかが判定されるが、その始動圧力ＨONは、既にステップ４２３により最大吸込み側圧力検出値に最大水量時での吐出し側圧力センサＰＳ―２、吸込み側圧力センサＰＳ―１間抵抗を加えたものとして更新設定されているので、ＹＥＳと判定された上、処理はステップ４０１に進むものとなっている。ステップ４０１では、吸込み側圧力は圧力ａ以下にはないと判定された上、処理ステップ４０２に進むが、ステップ４０２での圧力ｂは、既にステップ４２３により圧力ｂは（最大吸込み側圧力検出値＋α）に更新設定されているので、ステップ４０２ではＮＯと判定されるものとなっている。その後のステップ４０３でもポンプ４は運転中にはないと判定された上、ステップ４０５でポンプ４が始動されているものである。その後、ステップ４０６ではＮＯと判定された上、ステップ４０８では、ポンプ４により滞留水が需要側に送水されるまで運転された後、圧力ｂや始動圧力ＨON、目標圧力ＨO0・Ｈ01は初期設定値に戻されるものとなっている。更に、その後は、ステップ４０９，４１０，４１１，４１３，４１５，４１６を順次経て、ステップ４１２では、吸込み側圧力高を要因としてポンプ４が運転停止された上、バイパス管２による給水が行われるものである。
【００２６】
以上のように、圧力ｂや始動圧力ＨON、目標圧力ＨO0・Ｈ01が初期設定値に戻されるまでの間、ステップ４０９での圧力制御では、目標圧力ＨO0＝Ｈ01＞（最大吸込み側圧力検出値＋最大水量時での吐出し側圧力センサＰＳ―２、吸込み側圧力センサＰＳ―１間抵抗）とされた吐出し圧力一定制御が採られたものとなっている。換言すれば、逆止弁８では、その入口側より出口側での圧力が若干高くなる結果として、ポンプ４とその近傍に滞留している水はポンプ４の運転により需要側に送水され得るものである。因みに、ステップ４１３，４１４，４１２による処理は、吸込み側圧力低下を要因とするポンプ４の運転停止処理を示す。
【００２７】
図３はまた、需要側での水使用がないまま、吸込み側圧力高を要因としてポンプ４が長期に亘って運転停止される場合であっても、滞留水を外部に排出するための要部構成を示したものである。図示のように、吸込み側圧力高状態（圧力ｂ以上の状態）を計時するタイマＴ１０と、需要側での水使用がないままポンプ４が運転停止状態におかれる場合に、その運転停止状態を計時するタイマＴ１１とが設けられたものとなっている。需要側での水使用がないままポンプ４が運転停止状態におかれれば、インバータＩＮＶから端子１０，１１にはＯＮ信号が出力される結果として、タイマＴ１１はその計時動作が開始されるものとなっている。タイマＴ１１が、例えばその計時動作開始時点から４時間後にタイムアップすれば、その接点Ｔ１１ａが閉じられるが、その（緩復旧）接点Ｔ１１ａが閉じられた時点から、一定時間（例えば１０〜１５分程度）後に復旧されるまでの間、駆動回路ＳＬを介し自動弁１２が開放状態におかれているものである。また、吸込み側圧力高状態になれば、インバータＩＮＶから端子８，９にはＯＮ信号が出力される結果として、タイマＴ１０はその計時動作が開始されるものとなっている。タイマＴ１０が、例えばその計時動作開始時点から４時間後にタイムアップすれば、ブロックＹ（図１を参照のこと）内でその接点Ｔ１０ａが閉じられるが、この旨が入力端子２３を介しインバータＩＮＶに通知された場合には、例えば図２におけるステップ４１７，４２２に代って、ステップ４２３が実行されることによって、既述の説明と同様にして、吸込み側圧力高を要因とするポンプ運転停止が解除された上、ポンプ４が始動運転され得るものである。
【００２８】
更に、制御がより簡単化されるべく、ポンプシステムや圧力条件とは無関係に、所定時間（例えば４時間）毎に自動弁１２を一定時間（例えば１０〜１５分程度）分だけ、強制的に開放状態におくことも考えられるものとなっている。図４にこの場合での要部構成を示す。タイマＴ１２が所定時間毎にタイムアップする度に、その接点Ｔ１２ａが閉じられるが、その（緩復旧）接点Ｔ１２ａが閉じられた時点から、一定時間（例えば１０〜１５分程度）後に復旧されるまでの間、駆動回路ＳＬを介し自動弁１２が開放状態におかれているものである。
【００２９】
最後に、圧力やタイマ（Ｔ１２）によることなく、送水管１０上に設けられた流量センサにより滞留水を排出する場合について説明すれば、図５にこの場合での加圧給水装置の一例での構成を示す。図示のように、送水管１０上に設けられた流量センサ１５により、需要側での水使用の有無がより確実に検出されているものであるが、その検出結果は信号Ｓ4 として入力端子８を介しインバータＩＮＶに取込まれたものとなっている。具体的な制御動作としては、例えば図２におけるステップ４１８，４１９間に、流量センサ１５での検出結果を判定するためのステップを追加の上、水の使用が検出されていなければ、ステップ４１９以降の処理が実行されるようにすればよいものである。即ち、ステップ４１９で、ポンプ運転停止時点から所定時間Ｔ１以上経過していると判定された場合には、ステップ４２０以降の処理により、自動弁１２が開放状態におかれているものである。また、もしも、水の使用が検出されている場合には、処理はステップ４００に戻されているものである。
【００３０】
【発明の効果】
以上、説明したように、請求項１〜５各々によれば、以下の効果が得られるものとなっている。
請求項１，２：需要側で水が長期に亘って使用されなく、その間、ポンプが運転停止状態におかれる場合でも、ポンプとそのポンプ近傍に水が長期に亘って汚染水として滞留され得ない加圧給水装置が得られる。
【００３１】
請求項３：吸込み側圧力高を要因としてポンプが長期に亘って運転停止された上、そのポンプをバイパスした状態で需要側に給水が行われる場合であっても、ポンプとそのポンプ近傍に水が長期に亘って汚染水として滞留され得ない加圧給水装置運転方法が得られる。
【００３２】
請求項４：需要側で水が長期に亘って使用されていないことが確実に検出された上、その間、ポンプが運転停止状態におかれる場合でも、ポンプとそのポンプ近傍に水が長期に亘って汚染水として滞留され得ない加圧給水装置運転方法が得られる。
【００３３】
請求項５：吸込み側圧力高を要因としてポンプが運転停止された上、水道本管からの水がバイパス管を介し需要側に給水可とされているにも拘らず、需要側で水が長期に亘って使用されていない場合に、ポンプとそのポンプ近傍に水が長期に亘って汚染水として滞留され得ない加圧給水装置運転方法が得られる。
【図面の簡単な説明】
【図１】図１は、本発明による加圧給水装置の一例での構成を示す図
【図２】図２は、本発明に係る制御手段としてのマイコンソフトウェアの一例での処理フローを示す図
【図３】図３は、需要側での水使用がないまま、吸込み側圧力高を要因としてポンプが長期に亘って運転停止される場合であっても、滞留水を外部に排出するための要部構成を示す図
【図４】図４は、ポンプシステムや圧力条件とは無関係に、所定時間毎に自動弁を一定時間分だけ、強制的に開放状態におく場合での要部構成を示す図
【図５】図５は、送水管上に設けられた流量センサにより滞留水を排出する場合での加圧給水装置の一例での構成を示す図
【図６】図６は、吐出し流量（給水量）、吐出し側圧力、ポンプ回転速度の、これら３者の関係を示す図
【図７】図７は、吸込み側圧力に応じた、ポンプ運転による給水範囲、バイパス給水範囲、吸込み側圧力異常低下によるポンプ運転不可範囲をそれぞれ示す図
【符号の説明】
１…吸込み管、２…バイパス管、３，８…逆止弁、４…ポンプ、５…電動機、９…圧力タンク、１０…送水管、１２…自動弁、１３…放流管、１５…流量センサ、ＩＮＶ…インバータ、ＯＰ…ディジタルオペレータ、ＰＳ―１，ＰＳ―２…圧力センサ、Ｆlow ・ＳＷ…フロースイッチ
【図１】
0003706278.tif 000002
【図２】
0003706278.tif 000003
【図３】
0003706278.tif 000004
【図４】
0003706278.tif 000005
【図５】
0003706278.tif 000006
【図６】
0003706278.tif 000007
【図７】
0003706278.tif 000008